(57)【要約】      （修正有）【課題】エンドレスで風力エネルギーを電気エネルギーに変換し続けること及び、インフラの具備要素と一致する品質良好な節度ある余剰電力の発生機能を備えた電動送風エンドレス発電システム装置を提供する。【解決手段】口径一定の吸気口３から吐出口８まで直結した通風路４の中間に定格回転で回る電動送風機６を設け、吸引側と吐出側の双方に風車付き発電機５，７を配し、定格回転で回る電動送風機が吸って吐く定格風力が風路内を貫通する際に風車付き発電機を定格回転で回すと生じるインフラ要件と合う定格電圧及び定格周波数の電気エネルギーを継続的に発生するように構成した構造を特徴とする。【選択図】図１
0003194722.tif 000002
【実用新案登録請求の範囲】
【請求項１】
電動送風機の定格に応じ発生した風力エネルギーの吸引側と、吐出側の両方に発電機能付き風車を設け廻して生じた１部の電気を電動機へ回帰導入し、１部の電気を余剰活用できるよう構成した、エンドレス発電の取得権に係る一切の装置。
【考案の詳細な説明】
【考案の詳細な説明】
【技術分野】
【０００１】  風力エネルギー新活用分野に属する、電動強制送風式エンドレス発電装置です。
【背景分野】
【０００２】  従来、電気エネルギーに変換する風力エネルギーは、山頂や海辺に吹く天然の風力エネルギーであったが、刻々と変わる気圧の変化に従って変動する天然の風力エネルギーは凪・微風
0003194722.tif 000003
【考案の開示】
【考案が解決しようとする課題】
【０００３】  本案は、電動送風機が定格に応じて発生した吸引力エネルギー側と、吐出力エネルギー側の両方に設けた発電機付の風車を計画的かつ安定的に廻して生じた節度ある電気を取得することにより、停電・電圧降下及び周波数不足によるインフラ要素に反する課題解消を目的とし、インフラを充足し、文化の向上と経済の発展に寄与するために考案した発電装置です。【０００４】  電気エネルギーで回る電気送風機の定格に応じて発生した、安定的な吸引力と吐出力の両側に発電機能が付いた風車を設け廻して得た、良質な電力を電動機へ回帰導入することにより、エンドレスで風力エネルギーを電気エネルギーに変換し続けること及び、インフラの具備要素と一致する品質良好な余剰電力の発生機能を持つ発電装置です。
【考案の効果】
【０００５】
0003194722.tif 000004
２、燃費０円及びＣＯ２排出０から発生する経済又は環境に対する向上効果。
３、天然風力がない室内等、如何なる場所でも、発電所が設定できる、開設容易効果。
４、建物内管理によるメンテナンス及び故障早期発見の容易性・腐食減少及び長期耐用効果。
５、機械的に作った高速風力エネルギーから発生した節操ある安定良質の電気エネルギーに変換できるインフラ充足により、選択される信頼性確保の顧客拡大効果が生じます。
0003194722.tif 000005
【手続補正書】
【提出日】平成26年5月8日(2014.5.8)
【手続補正１】
【補正対象書類名】実用新案登録請求の範囲
【補正対象項目名】全文
【補正方法】変更
【補正の内容】
【実用新案登録請求の範囲】
【請求項１】
電動送風機を回すと確実に生ずる吸って吐く機能による、送風力と吸風力の双風力エネルギーを、電気エネルギーに変換する発電装置。
【手続補正２】
【補正対象書類名】明細書
【補正対象項目名】全文
【補正方法】変更
【補正の内容】
【考案の詳細な説明】
【技術分野】
【０００１】  電動送風機を廻すと確実に生ずる機能、吸って吐く送風力と吸風力の双風力エネルギーを用い、複数機の発電機付き風車を連続的に廻して電気エネルギーを継続的に作りだす発電装置。
【背景分野】
【０００２】  従来の風力発電は、刻々と変化する不安定な天然風力エネルギーを用い発電機付き風車を廻して、電気エネルギーに変換してきたが、定格風力に満たない弱風又は無風時は停電（インフラ要件欠落）すること、電圧や周波数が低下すること、保守点検が困難なこと等、発電機能と停電を繰り返す不規則で不安定な欠点が潜在する機能不合理な発電方法であった。
【考案の開示】
【考案が解決しようとする課題】
【０００３】  本案は、電動送風機が吸って吐く合理的は機能を有効活用して得た常時一定の風力エネルギーを用いて発電機付き風車を複数機連続的に廻して作った安定的な質の良い電気エネルギーを継続的に切れ間なく供給する機能によって、発電と停電を繰り返すインフラ要素欠落及び保守点検困難な欠点を解決しようとする仕組みの発電装置です。【０００４】  本発電装置は、電動送風機が回る機能で作る一定の風力エネルギーを受けて回る風車及び発電機の回転数も物理的に一定に確保されるため、発生する電気の電圧も周波数も物理的に一定であり、インフラが求める要素と一致する良質な電気を連続的に作り、切れ間なく継続的に給付することができる、電気エネルギーを作り出す電気エネルギー製造機です。
【考案の効果】
【０００５】１、天然風力の有・無を問わず何時でも電気エネルギーが容易に使用できること。
２、人工的に作った安定風力エネルギーを、電気エネルギーに変換できること。
３、人工的に作った電気は、人工的に全てコントロールが容易にできること。
４、電圧・周波数等、電気の品質が一定かつ良好に確保できること。
５、社会インフラの要件と一致する質の良い電気エネルギーであること。
６、無風状態の室内でも良質の電気エネルギーが容易かつ連続的に作れること。
７、電気エネルギーの、地産地消が容易であること。
８、火気０、大気汚染及び温暖化０の環境に良い発電装置であること。
９、天候の変化に係りなく、安定的な良質の電気を作り継続供給できること。
１０、風雨にさらされない室内にある装置は、寿命が長くメンテナンスが容易であること。
【図面の簡単な説明】
【０００６】
【図１】  本案の平面サイクル図
【符号の説明】
【０００７】１−１’、電動送風機。                    ６−６’、風向。
２−２’、風車付き発電機。                ７、      ドレン抜。
３−３’、風車付き発電機。                ８−８’、集配電ボックス。
４−４’、送風連結管。                    ９−９’、入電線。
５−５’、送風力調整器。
【手続補正３】
【補正対象書類名】図面
【補正対象項目名】全図
【補正方法】変更
【補正の内容】
【図１】
0003194722.tif 000006
【手続補正書】
【提出日】平成26年7月23日(2014.7.23)
【手続補正１】
【補正対象書類名】実用新案登録請求の範囲
【補正対象項目名】全文
【補正方法】変更
【補正の内容】
【実用新案登録請求の範囲】
【請求項１】
口径一定の吸引口から空気を吸い、吐出口へ送風する機能を持つ構造の電動送風機を中心に吸引側と吐出側の双方に設けた風車付き発電機を直列的に配管で結合し、電動送風機を廻すと発生する風力が結合管内を通過する際に風車と発電機を一定回転で廻すことにより２台１セットの定格電圧及び定格ヘルツの電気が常時発生する仕組みの電動送風エンドレス発電装置を提供する。
【手続補正２】
【補正対象書類名】明細書
【補正対象項目名】全文
【補正方法】変更
【補正の内容】
【考案の詳細な説明】
【技術分野】
【０００１】  本案は、一定口径の吸引口から吸った大気を吐出口へ送風する作用を機械的に行う電動送風機を中心に吸引側と吐出側の双方に風車付き発電機を設け、直列的に結合した配管内を通過する一定の風力を受けて、定格回転で回る風車に伴って定格回転する複数台の発電機から発生する定格電圧・定格ヘルツの電気を常時使う生活用及び工業用に役立てることを目的とする、電動送風エンドレス発電装置に関するものです。
【背景技術】
【０００２】  従来の風力発電装置は、時々刻々と変化する高・底気圧差の風力エネルギーを電気エネルギーに変換する天然風力発電方式であるため、凪又は微風時など定格風力に満たない時間帯には停電又は電圧や周波数値の降下等により、通年一定の電圧や周波数の電気を安定的に供給する社会インフラ法の要件を満たすことができない及び需要と供給の均衡保管に対応できない又は概ね半径４０ｍ・上部５０ｍに所在する発電機の回転部や駆動軸等のメンテナンスができないこと、天然風が常時吹く山頂や海岸又は海上以外に設置できない等、具備要件に対する矛盾を持つ欠点があった。
【先行技術文献】
【非特許文献１】（気象情報の気圧等圧線の変動に伴って風速・風力及び気圧や温度の高・低差又は曇り・雨・晴れ等の自然的に発生する現象変化は、気象庁の天気図通りです）
【非特許文献２】（電気は、暗い場所を明るくする照明・電動機を廻してエアコンや洗濯又は冷蔵庫で食品の腐食防止効果による快適な日常生活の確保、更には、工業製品製造電源として役立つ、周波数・電圧等が規定の範囲内で使える交流であることが周知された通電契約上の具備すべき前提条件です。
【非特許文献３】（定格電力＝定格電圧×定格電流。）定格周波数＝５０及び６０サイクルが規定。
【考案の概要】
【考案が解決しようとする課題】
【０００３】  本案は、以上のような従来の欠点に鑑み、定格回転の電動送風機を用い機械的に作った定格風力による安定的な風力エネルギーを電気エネルギーに変換する安定かつ通年常時発電・常時通電供給に対応できる発電装置の提供を目的としています。
【課題を解決するための手段】
【０００４】  上記の目的を達成するために、本案は機械的に定格回転で回る電動送風機によって強制的に作られた定格風力の吸引力側と吐出側の双方に風力発電機を設けて廻すことによって、送風電動機の消費電力を超える電気を発電させ取得するための手段及び入手方法です。
【考案の効果】
【０００５】  以上の説明から明らかなように、本考案にあっては次に列挙する効果が得られます。
１、山頂や海岸又は海上に吹く天然風力を用いることなく通年常時、質の良い定格電圧・定格ヘルツの電気エネルギーを機械的に変換し続けると共に，安定的かつ持続的に供給できること。
２、社会インフラの法定要件と一致した良質な電気エネルギーの供給体系が整うこと。
３、送風機及び発電機駆動用の風車翼径が短く小型設備のため屋外設定ではなく建物内設置によってメンテナンス体制が充実することになるので、性能良好状態で維持管理保管できる具備基準と一致すること。
４、需要と供給のバランスが良い電気エネルギーの均衡を確保し具備できること。
５、定格風力―定格回転―定格電圧及び定格ヘルツの安定的な電気エネルギーを外貨支出０で得る経済効果の高い発電装置の基本が整うこと。
６、さらには、吐出風力を背圧として、発電機―送風機―発電機―背圧―発電機―送風機―発電機―背圧―発電機―送風機―発電機と、サイクリング的に連結すると、発電機能及び発電力を増強することができると共に効率の高い発電装置が実現します。
７、本案は、機械式無停電風力発電、従来は凪停電式風力発電と違差は物象で区別できます。
【図面の簡単な説明】
【０００６】
【図１】  本案の平面サイクル図
【符号の説明】
【０００７】１−１’、電動送風機。                    ６−６’、風向。
２−２’、風車付き発電機。                ７、      ドレン抜。
３−３’、風車付き発電機。                ８−８’、集配電ボックス。
４−４’、送風連結管。                    ９−９’、入電線。
５−５’、送風力調整器。
【手続補正書】
【提出日】平成26年9月26日(2014.9.26)
【手続補正１】
【補正対象書類名】実用新案登録請求の範囲
【補正対象項目名】全文
【補正方法】変更
【補正の内容】
【実用新案登録請求の範囲】
【請求項１】
口径一定の吸気口から吐出口まで直結した通風路の中間に定格回転で回る電動送風機を設け、吸引側と吐出側の双方に風車付き発電機を配し、定格回転で回る電動送風機が吸って吐く定格風力が風路内を貫通する際に風車付き発電機を定格回転で回すと生じるインフラ要件と合う定格電圧及び定格周波数の電気エネルギーを継続的に発生するように構成した構造の電動送風エンドレス発電システム装置。
【手続補正２】
【補正対象書類名】明細書
【補正対象項目名】全文
【補正方法】変更
【補正の内容】
【考案の詳細な説明】
【技術分野】
【０００１】本案は、口径一定の吸気口から吸引した空気を吐出口へと送る通風路の途中に定格回転で回る電動送風機を設け、吸気側と吐出側の双方に風車付き発電機を配し、定格回転で回る電動送風機が造る常温の風力エネルギーを受け定格回転で回る複数台の発電機が発生する定格電圧及び定格周波数のインフラ要件と一致する良好で検証可能な電気エネルギーを、合理的に日常生活用及び産業用の動力エネルギー源として常時止ることなく継続的にかつ広範に供給することを目的とした、電動送風エンドレス発電システム装置。
【背景技術】
【０００２】  従来の風力発電は、四季毎又は時々刻々と凪０ｍ／ｓから暴風１１０ｍ／ｓまで１３階級に変る斑模様の何時、何ｍ／ｓで何時間吹き続くのか不可解な天然風力エネルギーを電気エネルギーに変換し有償で供給する発電方式であったが、定格風力以下の凪０ｍ／ｓ時は風車及び発電機は宿命的に回転運動が停止するため、出力（ｗ）・電圧（Ｖ）・周波数（Ｈｚ）等がインフラ要件と不合は確定。
また、発電機を廻す風車の直径は概ね４０〜８０ｍある回転翼のメンテナンス及び６０〜８０ｍ上部高所に設けた発電機及び駆動軸と歯車・軸受け等、重要部の点検検証不可能は非科学な矛盾。
四季ある日本は通年定格風力を安定確保できる暴風域外である地理的事実は周知の通りです。
【先行技術文献】
【非特許文献１】周波数や電圧不足の電気はＴＶや電話が使用できない社会常識に反する現象。
【非特許文献２】気象庁発行の予想気圧変動風力表明物象図。新聞又はＴＶで周知。
【非特許文献３】電気の役割、暗所を照らすエアコンが使えること、工業用又はＰＣの駆動エネルギー源として通電使用契約の事実は各家庭及び企業間と独占締結実施中です。
【非特許文献４】定格電力（Ｗ）＝定格電圧（Ｖ）×負荷電流（Ａ）。周波数＝５０Ｈｚと６０Ｈｚ。
【凪時間帯の物象】
電圧｛Ｖ｝不足と周波数不足の電気は通電契約違反に当たるため取引対象外。
【考案の概要】
【考案が解決しようとする課題】
【０００３】  本案の電動送風エンドレス発電装置は、対価を得る天然風力発電が有する凪０ｍ／ｓには停電する宿命的な欠点を、定格水流の水道やガスと同じく機械的かつ合理的に継続発電し供給する構造及び科学的な人工機能で解消します。（風速０ｍ／ｓ）凪の確認は外部から風車の観察で足る。
【課題を解決する手段】
【０００４】  定格水流で供給する水道やガス等と同じように通電契約通り供給されている正常な電力を用いて電動送風機を駆動すると機械的に定格風力が得られる仕組みで構成するので、駆動後の発電結果となる電圧計周波数計を確認検証し、計画通りの結果数値を表示していれば供給電源スイッチを入れ、供給側の電力計測カウンターが作動加算している事実を確認することができれば、計器通りの電気が相手方に通電している確かな物象ある正常な運転及び供給状態です。
【考案の効果】
【０００５】１、発電２基−原動１基＝現に発電１基分残余供給換算できる物象状態にある効果。
２、電動送風エンドレス発電装置で人工的に造った定格電圧、定格周波数の電気エネルギーと、斑に吹く天然風力発電の宿命要素で造った斑模様の電気とは１目で差別化容易の効果。
３、発電用のエネルギーは、定格回転で回る電動送風機で合理的かつ積極的に造った風力エネルギーを用いるため、山頂や海岸等に非科学的かつ消極的に吹く風を待つことなく、屋内・地下室・等天然風力０ｍ／ｓの場所に設置し工学的かつ積極的に発電できる地理的効果。
４、風力源造りから電気を得るまで、１００％科学的な人工物で構成するため給電契約に合わせコントロール及びメンテナンスが容易かつ自在にできる法令順守の効果。
５、風力エネルギーを造る電動送風機・受けた風力で回る風車付き発電機等の重要部は１００％ＪＩＳ規格をクリアした市場で流通している汎用既製品で構成する法令順守効果。
６、貿易立国における国富財源である国際通貨＄の流失防止に資する財政保全効果。
７、社会インフラの具備要件と一致する電気エネルギーの継続製造と供給できる合法効果。
８、ランニングに化石燃料不必要のため、Ｃｏ２汚染０の環境保全に資す発電方式である効果。
９、ランニング経費低減による経済及び外貨流失防止の課題解消効果。
１０、社会生活や産業用の電源供給対価を得る以上、天然風力発電の欠点を解消し通年供給すべき発電義務の不履行（凪）状態から、履行（常時定格発電）状態へと転換できる合法効果。
【図面の簡単な説明】
【０００６】
【図１】本考案のシステム平面図
【符号の説明】
【０００７】１、循環風力溜り                    １０−１０’、発電気取り出しケーブル
２、風力調整弁                      １１、計量カウンター
３、吸気口                          １２、送電ケーブル
４、通風路                          １３、電動機電源回帰導入ケーブル
５、吸引側風車付き発電機
６、電動送風機
７、吐出側風車付き発電機
８、吐出口
９、電力分電ボックス
【手続補正３】
【補正対象書類名】図面
【補正対象項目名】全図
【補正方法】変更
【補正の内容】
【図１】
0003194722.tif 000007